【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
入射された放射線フォトンを光フォトン又は電荷に変換する変換部と、前記光フォトン又は電荷に応じた画素値を取得するための画素が２次元行列状に配列された画素アレイと、前記画素アレイから前記画素値を出力するために複数の出力チャネルを有する出力回路と、を含む検出器と、
前記光フォトン又は電荷に基づいて前記複数の出力チャネルを介して前記画素アレイから出力された前記画素値を取得する過程をモデル化した画素値取得過程モデルに応じた補正係数を用いて前記画素値を補正し、補正された前記画素値に基づくエネルギー弁別された放射線画像を取得するための信号処理を行う信号処理部と、
を有する放射線撮像システムであって、
前記出力回路は、前記画素アレイの前記複数の出力チャネルごとに個別の回路を有しており、前記個別の回路はそれぞれ固有のノイズを有しており、
前記補正係数は、前記画素アレイから出力された前記画素値の各々に付与される、前記固有のノイズを含む固定パターンノイズに基づいて算出されることを特徴とすることを特徴とする放射線撮像システム。
【請求項２】
前記補正係数は、前記放射線フォトンが前記光フォトン又は電荷に変換される過程をモデル化したフォトン変換過程モデルに更に応じるように、準備されることを特徴とする請求項１に記載の放射線撮像システム。
【請求項３】
前記補正係数は、前記放射線フォトンが前記光フォトン又は電荷に変換される過程で発生し得る二次放射線と、前記光フォトン又は電荷の拡散と、前記半導体素子に出力ばらつきを生じさせるノイズと、に基づいて算出されることを特徴とする請求項２に記載の放射線撮像システム。
【請求項４】
前記変換部は、前記放射線フォトンのエネルギーが励起エネルギー以上の場合に前記二次放射線が発生し得るものであり、
前記フォトン変換過程モデルは、前記励起エネルギーと、前記放射線フォトンのエネルギーに対応した前記光フォトン又は電荷の発生比率と、をパラメータとしてモデル化されたものであることを特徴とする請求項３に記載の放射線撮像システム。
【請求項５】
前記画素値取得過程モデルは、前記画素アレイから出力される信号レベルの横軸に対して当該信号レベルの個数を縦軸とした、画素アレイの出力レベルのヒストグラムにおける前記ヒストグラムの形状と、前記ヒストグラムの大きさと、をパラメータとしてモデル化されたものであることを特徴とすることを特徴とする請求項４に記載の放射線撮像システム。
【請求項６】
前記画素値取得過程モデルは、前記励起エネルギー未満のエネルギーの放射線が照射された放射線撮像装置から出力される信号に基づいて準備された前記ヒストグラムに基づいて、前記ヒストグラムの形状と、前記ヒストグラムの大きさと、が導出されることにより、モデル化されたものであることを特徴とする請求項５に記載の放射線撮像システム。
【請求項７】
前記フォトン変換過程モデルは、前記励起エネルギー未満のエネルギーの放射線が照射された放射線撮像装置から出力される信号に基づいて準備された前記ヒストグラムと、前記発生比率を変動値として前記励起エネルギーと前記ヒストグラムの形状と前記ヒストグラムの大きさとを用いて生成された仮想ヒストグラムとをフィッティングして前記発生比率が導出されることにより、モデル化されたものであることを特徴とする請求項６に記載の放射線撮像システム。
【請求項８】
前記補正係数は、照射される放射線に関する情報に前記フォトン変換過程モデル及び前記画素値取得過程モデルを適用して得られた、前記放射線撮像装置の出力のシミュレーション結果に基づいて導出されることを特徴とする請求項７に記載の放射線撮像システム。
【請求項９】
前記変換部は、前記放射線フォトンを前記光フォトンに変換するためのシンチレータを含む、ことを特徴とする請求項５から８のいずれか１項に記載の放射線撮像システム。
【請求項１０】
前記複数の画素は夫々、前記光フォトンを信号に変換する光電変換素子と、前記信号と基準電圧とを比較してデジタル値を出力する比較部と、前記補正係数を用いて前記比較部から出力されたデジタル値を補正して保持する補正部と、前記補正部から出力されたデジタル値に応じた画素値を出力する出力部と、を含むことを特徴とする請求項９に記載の放射線撮像システム。
【請求項１１】
入射された放射線フォトンを光フォトン又は電荷に変換する変換部と、前記光フォトン又は電荷に応じた画素値を取得するための画素が２次元行列状に配列された画素アレイと、前記画素アレイから前記画素値を出力するために複数の出力チャネルを有する出力回路と、を含む検出器に入射された放射線フォトンが変換された光フォトン又は電荷に応じて取得された画素値を用いて補正し、補正された前記画素値に基づいて取得される、エネルギー弁別された放射線画像を取得するための信号処理を、前記光フォトン又は電荷に基づいて前記複数の出力チャネルを介して前記画素アレイから出力された前記画素値を取得する過程をモデル化した画素値取得過程モデルに応じた補正係数を用いて、行う信号処理装置であって、
前記出力回路は、前記画素アレイの前記複数の出力チャネルごとに個別の回路を有しており、前記個別の回路はそれぞれ固有のノイズを有しており、
前記補正係数は、前記画素アレイから出力された前記画素値の各々に付与される、前記固有のノイズを含む固定パターンノイズに基づいて算出されることを特徴とすることを特徴とすることを特徴とする信号処理装置。
【請求項１２】
入射された放射線フォトンを光フォトン又は電荷に変換する変換部と、前記光フォトン又は電荷に応じた画素値を取得するための画素が２次元行列状に配列された画素アレイと、前記画素アレイから前記画素値を出力するために複数の出力チャネルを有する出力回路と、を含む検出器に入射された放射線フォトンが変換された光フォトン又は電荷に応じて取得された画素値を用いて補正し、補正された前記画素値に基づいて取得される、エネルギー弁別された放射線画像を取得するための信号処理を、前記光フォトン又は電荷に基づいて前記複数の出力チャネルを介して前記画素アレイから出力された前記画素値を取得する過程をモデル化した画素値取得過程モデルに応じた補正係数を用いて、行う信号処理方法であって、
前記出力回路は、前記画素アレイの前記複数の出力チャネルごとに個別の回路を有しており、前記個別の回路はそれぞれ固有のノイズを有しており、
前記補正係数は、前記画素アレイから出力された前記画素値の各々に付与される、前記固有のノイズを含む固定パターンノイズに基づいて算出されることを特徴とすることを特徴とすることを特徴とする信号処理方法。
【手続補正２】
【補正対象書類名】明細書
【補正対象項目名】０００７
【補正方法】変更
【補正の内容】
【０００７】
本発明の放射線撮像システムは、入射された放射線フォトンを光フォトン又は電荷に変換する変換部と、前記光フォトン又は電荷に応じた画素値を取得するための画素が２次元行列状に配列された画素アレイと、前記画素アレイから前記画素値を出力するために複数の出力チャネルを有する出力回路と、を含む検出器と、前記光フォトン又は電荷に基づいて前記複数の出力チャネルを介して前記画素アレイから出力された前記画素値を取得する過程をモデル化した画素値取得過程モデルに応じた補正係数を用いて前記画素値を補正し、補正された前記画素値に基づくエネルギー弁別された放射線画像を取得するための信号処理を行う信号処理部と、を有する放射線撮像システムであって、前記出力回路は、前記画素アレイの前記複数の出力チャネルごとに個別の回路を有しており、前記個別の回路はそれぞれ固有のノイズを有しており、前記補正係数は、前記画素アレイから出力された前記画素値の各々に付与される、前記固有のノイズを含む固定パターンノイズに基づいて算出されることを特徴とする。本発明の信号処理装置は、入射された放射線フォトンを光フォトン又は電荷に変換する変換部と、前記光フォトン又は電荷に応じた画素値を取得するための画素が２次元行列状に配列された画素アレイと、前記画素アレイから前記画素値を出力するために複数の出力チャネルを有する出力回路と、を含む検出器に入射された放射線フォトンが変換された光フォトン又は電荷に応じて取得された画素値を用いて補正し、補正された前記画素値に基づいて取得される、エネルギー弁別された放射線画像を取得するための信号処理を、前記光フォトン又は電荷に基づいて前記複数の出力チャネルを介して前記画素アレイから出力された前記画素値を取得する過程をモデル化した画素値取得過程モデルに応じた補正係数を用いて、行う信号処理装置であって、前記出力回路は、前記画素アレイの前記複数の出力チャネルごとに個別の回路を有しており、前記個別の回路はそれぞれ固有のノイズを有しており、前記補正係数は、前記画素アレイから出力された前記画素値の各々に付与される、前記固有のノイズを含む固定パターンノイズに基づいて算出されることを特徴とすることを特徴とすることを特徴とする。本発明の信号処理方法は、入射された放射線フォトンを光フォトン又は電荷に変換する変換部と、前記光フォトン又は電荷に応じた画素値を取得するための画素が２次元行列状に配列された画素アレイと、前記画素アレイから前記画素値を出力するために複数の出力チャネルを有する出力回路と、を含む検出器に入射された放射線フォトンが変換された光フォトン又は電荷に応じて取得された画素値を用いて補正し、補正された前記画素値に基づいて取得される、エネルギー弁別された放射線画像を取得するための信号処理を、前記光フォトン又は電荷に基づいて前記複数の出力チャネルを介して前記画素アレイから出力された前記画素値を取得する過程をモデル化した画素値取得過程モデルに応じた補正係数を用いて、行う信号処理方法であって、前記出力回路は、前記画素アレイの前記複数の出力チャネルごとに個別の回路を有しており、前記個別の回路はそれぞれ固有のノイズを有しており、前記補正係数は、前記画素アレイから出力された前記画素値の各々に付与される、前記固有のノイズを含む固定パターンノイズに基づいて算出されることを特徴とすることを特徴とすることを特徴とする。